(57)【要約】【課題】コンパクトに折り畳み可能で、１台の搬送車での搬送数を多くでき、また工事現場での狭い空間での取り扱いも行ないやすい板材支持用フレームを提供する。【解決手段】Ａ方向に向く互いに平行な骨材２と、前記Ｘ方向に対して直角のＢ方向に向く互いに平行な骨材３とを互いに当接する当接部を回転自在に枢結して、平行四辺形に近い折り畳み状態と広げられた長方形もしくは正方形の状態とに変移するように構成されており、板材支持用フレーム１を広げた状態でＡ方向に向く骨材２とＢ方向に向く骨材３とを固定部材６で固定するようにした。【選択図】図３
2008095458.tif 000002
【特許請求の範囲】
【請求項１】
Ａ方向に向く互いに平行な骨材と、前記Ｘ方向に対して直角のＢ方向に向く互いに平行な骨材とを互いに当接する当接部を回転自在に枢結して、平行四辺形に近い折り畳み状態と広げられた長方形もしくは正方形の状態とに変移するように構成されており、板材支持用フレームを広げた状態でＡ方向に向く骨材とＢ方向に向く骨材とを固定部材で固定するようにしたことを特徴とする板材支持用フレーム。
【請求項２】
固定部材として脚を兼用する長さを有することを特徴とする請求項１記載の板材支持用フレーム。
【発明の詳細な説明】
【技術分野】
【０００１】
本発明は、例えばバルコニーのデッキ材などの床材や天井板などを支持する板材支持用フレームに関するものである。
【背景技術】
【０００２】
従来からデッキ材などの床材を載せるフレームとしては例えば特許文献１に開示されているものが知られている。
このフレームは工場で予め組み立てられており、その状態で工事の現場に運び、嵩の大きな状態でバルコニー据え付け位置まで持ち上げて取り付けられているのが現状である。
【特許文献１】特開平１０−９６３１６号公報
【発明の開示】
【発明が解決しようとする課題】
【０００３】
上記特許文献１に記載のフレームは工場で予め組み立てられ、その状態で運ばれるのであるが、組み立てられた状態であるので嵩高く、１台の搬送車での搬送数に限界があり、また嵩高い状態であるので現場での取り扱いがしにくく、作業性が悪いという問題があった。
【０００４】
本発明の目的は、このような課題を解決するものであり、コンパクトに折り畳み可能で、１台の搬送車での搬送数を多くでき、また工事現場での狭い空間での取り扱いも行ないやすい板材支持用フレームを提供することにある。
【課題を解決するための手段】
【０００５】
本発明の請求項１に記載の板材支持用フレームは、Ａ方向に向く互いに平行な骨材と、前記Ａ方向に対して直角のＢ方向に向く互いに平行な骨材とを互いに当接する当接部を回転自在に枢結して、平行四辺形に近い折り畳み状態と広げられた長方形もしくは正方形の状態とに変移するように構成されており、板材支持用フレームを広げた状態でＡ方向に向く骨材とＢ方向に向く骨材とを固定部材で固定するようにしたことを特徴とする。
【０００６】
請求項２に記載の板材支持用フレームは、固定部材として脚を兼用する長さを有することを特徴とする。
【発明の効果】
【０００７】
以上のように、本発明の板材支持用フレームは、工場で作られたものをコンパクトな折り畳み状態で搬送できるため、１台の搬送車での搬送数を多くでき、また工事現場での狭い空間での取り扱いも行ないやすくなる。また、固定部材として脚を兼用する長さを有するものを使用することにより、別途脚を取り付ける場合に比べて部品点数を少なくできるとともに組み立て作業の手間を省くことができる。
【発明を実施するための最良の形態】
【０００８】
以下、本発明の一実施の形態を、図１〜図７を用いて具体的に説明する。
図において、１は断面コ状のアルミニウム製のＣ型チャンネル材からなる多数本の骨材２，３を組み合わせて作られた板材支持用フレームであって、板材支持用フレーム１のＡ方向に向く互いに平行な骨材２と、板材支持用フレーム１の前記Ａ方向に対して直角のＢ方向に向く互いに平行な骨材３とを互いに当接する当接部をボルト４およびナット５により回転自在に枢結して、図１に示す平行四辺形に近い折り畳み状態と図２に示す広げられた長方形の状態とに変移するように構成されている。具体的には、骨材２と骨材３はそれぞれ前述のように断面コ状で、開口部が横方向に向くように配設され、下側のＢ方向に向く骨材３の上端の板部３ａと上側のＡ方向に向く骨材２の下端の板部２ａとを当接させてその当接部をボルト４およびナット５により回転自在に枢結している。
【０００９】
前記骨材２と骨材３とを互いに当接する当接部でボルト４およびナット５により結合させるだけでは形が不安定であるため、板材支持用フレーム１を長方形に広げた状態で板材支持用フレーム１の両側に位置する下側の骨材３の上下方向に向く板部３ｂと上側の骨材２の両端部における上下方向に向く板部２ｂとを板材支持用フレーム１の内側でアングル状の固定部材６で固定する。固定部材６は予め上側の骨材２の両端部における上下方向に向く板部２ｂに一方の板部６ａがボルト７およびナット８により回転自在に枢結されており、この固定部材６を回転させて上下方向に向かせて前記一方の板部６ａに対して直角な他方の板部６ｂを下側の骨材３の上下方向に向く板部３ｂに当接させ、その当接部をボルト９およびナット１０により固定する。これにより、板材支持用フレーム１は平面形状が長方形の状態に保持される。図面に示す実施の形態では全ての上側の骨材２の両端部と下側の骨材３とを固定部材６によって固定しているのではなく、１本おきに位置する上側の骨材２の両端部と下側の骨材３とを固定部材６によって固定している。また、固定部材６は長さの長いものが使用されており、板材支持用フレーム１を平面形状が長方形の状態に保持した状態において、固定部材６は板材支持用フレーム１の下方に突出して脚を兼用するようになっている。
【００１０】
上記のように構成された板材支持用フレーム１は折り畳み状態で工事現場まで運ばれ、工事現場で平面形状が長方形の状態に開かれて固定部材６によりその形状が保持され、この板材支持用フレーム１の上、詳しくは上側の骨材２の上に例えばバルコニーのデッキ材が載せられる。
【００１１】
以上のような板材支持用フレーム１は下向きにして天井板を取り付けたり、縦方向に向けて室内の壁板を取り付けるなど広範囲で使用できるものである。また、複数の板材支持用フレーム１を並べて使用することも可能である。さらに、開かれた板材支持用フレーム１は平面形状が長方形に限定されるものではなく、正方形であっても良い。
【００１２】
ところで、前記板材支持用フレーム１の用途に応じて脚を必要としない場合は脚が存在しない長さの短い固定部材を使用すれば良い。
また、図面に示す実施の形態では脚を兼用する長さの固定部材６を用いたが、固定部材とは別の位置で脚を取り付けるようにしても良い。
【図面の簡単な説明】
【００１３】
【図１】本発明の一実施の形態における板材支持用フレームの折り畳んだ状態における斜視図である。
【図２】同板材支持用フレームを開いた状態における斜視図である。
【図３】同板材支持用フレームを開いた状態を保持した状態における斜視図である。
【図４】同板材支持用フレームを開いた状態を保持した状態における平面図である。
【図５】図４のＸ−Ｘ断面図である。
【図６】図４のＹ−Ｙ断面図である。
【図７】図４のＺ−Ｚ断面図である。
【符号の説明】
【００１４】
１            板材支持用フレーム
２，３        骨材
２ａ，３ａ    板部
２ｂ，３ｂ    板部
４            ボルト
５            ナット
６            固定部材
６ａ          一方の板部
６ｂ          他方の板部
７            ボルト
８            ナット
９            ボルト
１０            ナット
【図１】
2008095458.tif 000003
【図２】
2008095458.tif 000004
【図３】
2008095458.tif 000005
【図４】
2008095458.tif 000006
【図５】
2008095458.tif 000007
【図６】
2008095458.tif 000008
【図７】
2008095458.tif 000009